(57)【要約】【課題】この発明は、簡易な構成で、堅牢にして強固な構成を実現し得、且つ、組付け作業を含む取扱い性の向上を図り得るようにすることにある。【解決手段】給電装置１２をアンテナ反射鏡１０の焦点位置に配する給電装置支持具１１を、アンテナ反射鏡１０に取付け配置して、この給電装置支持具１１とアンテナ反射鏡１０との間に支持部材１３を架設し、この支持部材１３の一端部をアンテナ反射鏡１０に対して第１乃至第３の連結部１５，１６，１７を組み合わせ配置した連結機構１４を介して略直交する軸Ｏ１，軸Ｏ２回りに回動自在に連結するように構成した。【選択図】図３
2007243710.tif 000002
【特許請求の範囲】
【請求項１】
アンテナ反射鏡に回動自在に設けられ、給電装置を支持して前記アンテナ反射鏡の焦点位置に配する給電装置支持具と、
この給電装置支持具と前記アンテナ反射鏡との間に架設される支持部材と、
この支持部材の一端部を前記アンテナ反射鏡に対して略直交する２軸回りに回動自在に連結する連結手段と、
を具備することを特徴とするアンテナ支持構造。
【請求項２】
前記連結手段は、前記支持部材の一端部を、前記アンテナ反射鏡に対して略平行な第１の軸と、該第１の軸に略直交する第２の軸回りに回動自在に連結することを特徴とする請求項１記載のアンテナ支持構造。
【請求項３】
前記連結手段は、複数の連結具が分割合体自在に組付けられていることを特徴とする請求項１又は２記載のアンテナ支持構造。
【請求項４】
前記支持部材の他端部は、前記給電装置支持具に対して移動調整自在に設けられることを特徴とする請求項１乃至３のいずれか記載のアンテナ支持構造。
【発明の詳細な説明】
【技術分野】
【０００１】
この発明は、例えば衛星通信装置等の通信装置に用いるのに好適するアンテナ支持構造に関する。
【背景技術】
【０００２】
従来より、アンテナ装置には、給電装置を、支持具を用いてアンテナ反射鏡の焦点位置に配置するアンテナ反射鏡支持構造を採用するものがある。このようなアンテナ支持構造は、その給電装置が、支持具を介してアンテナ反射鏡の焦点位置に対応して配置され、この支持具には、支持部材の一端が連結配置される。そして、この支持部材は、その他端部が、自在状に移動可能なボールジョイント構造の可動部を介してアンテナ反射鏡に可動調整自在に連結されて架設配置される。
【０００３】
上記構成により、給電装置の焦点位置は、支持具を調整してアンテナ反射鏡の焦点位置に設定されると、これに連動して、支持部材と、アンテナ反射鏡との間が移動されて調整が完了される。
【０００４】
ところが、上記アンテナ支持構造では、アンテナ反射鏡と支持部材との連結部位に配される可動部が調整に連動して自在状に可動される構成のために、その軸部を太くして強度を高めることが困難なために、給電装置の焦点位置調整を繰り返すと、その可動部が破損したりする虞を有する。
【０００５】
一方、アンテナ装置の分野においては、アンテナ自体を移動自在に支持するアンテナ支持構造として、例えばアンテナを２軸回転可能な駆動機構を介して配置して、この駆動機構を駆動制御してアンテナの位置及び姿勢を制御する構成のものがある（例えば、特許文献１参照。）。
【特許文献１】特開２００２−４３８２０号公報
【発明の開示】
【発明が解決しようとする課題】
【０００６】
しかしながら、上記アンテナ自体を移動自在に支持するアンテナ支持構造では、アンテナ自体の位置及び姿勢を制御する構成のために、仮に、上記アンテナ支持構造における給電装置の支持構成に適用しようとすると、大型となり、実現が困難であるという問題を有する。
【０００７】
この発明は、上記の事情に鑑みてなされたもので、簡易な構成で、堅牢にして強固な構成を実現し得、且つ、組付け作業を含む取扱い性の向上を図り得るようにしたアンテナ支持構造を提供することを目的とする。
【課題を解決するための手段】
【０００８】
この発明は、アンテナ反射鏡に回動自在に設けられ、給電装置を支持して前記アンテナ反射鏡の焦点位置に配する給電装置支持具と、この給電装置支持具と前記アンテナ反射鏡との間に架設される支持部材と、この支持部材の一端部を前記アンテナ反射鏡に対して略直交する２軸回りに回動自在に連結する連結手段とを備えてアンテナ支持構造を構成した。
【０００９】
上記構成によれば、支持部材は、給電装置支持具がアンテナ反射鏡に対して回動されて給電装置の焦点位置が調整されると、その移動量に応じて連結手段が、その２軸回りに選択的に回動されて、アンテナ反射鏡に対する位置調整が行われ、給電装置の位置調整を許容する。これにより、連結手段の構成の簡略化が図れて、その組付け作業を含む取扱い性の簡便化が図れると共に、その連結部位における軸径の太径化の促進が図れて堅牢化の促進を図ることが可能となる。
【発明の効果】
【００１０】
以上述べたように、この発明によれば、簡易な構成で、堅牢にして強固な構成を実現し得、且つ、組付け作業を含む取扱い性の向上を図り得るようにしたアンテナ支持構造を提供することができる。
【発明を実施するための最良の形態】
【００１１】
以下、この発明の実施の形態について、図面を参照して詳細に説明する。
【００１２】
図１及び図２は、この発明の一実施の形態に係るアンテナ支持構造の適用されるアンテナ装置を示すもので、図１は、アンテナ反射鏡１０を正面から見た状態を示し、図２は、アンテナ反射鏡１０側面から見た状態を示す。
【００１３】
即ち、アンテナ反射鏡１０には、その背面に支持部１０１が設けられ、この支持部１０１には、給電装置支持具１１の一端部が回動軸１１１を介して回動調整自在に取付けられる。そして、この給電装置支持具１１の他端部には、載置部１１２が設けられ、この載置部１１２上には、給電装置１２が焦点位置に合致するのに最適な所望の位置に取付けられる。
【００１４】
また、給電装置支持具１１には、その載置部１１２を挟んだ該載置部１１２の近傍の両側部に、例えば長孔１１３（図２参照、但し、図中では、図の都合上、一方のみを図示）が設けられ、この長孔１１３には、それぞれ支持部材１３の一端部が螺子部材１３１を用いて矢印方向に移動可能に取付けられる（図２参照）。これら支持部材１３は、その各他端部が上記アンテナ反射鏡１０の周縁部に対して同様に連結手段である図３に示す連結機構１４を介して直交する２軸回りに回動自在に連結されて該アンテナ反射鏡１０と上記給電装置支持具１１との間に架設される。
【００１５】
ここで、上記連結機構１４は、第１乃至第３の連結部１５，１６，１７が連結されて、例えば直交する軸Ｏ１，軸Ｏ２の２軸回りに回動自在に連結される。このうち第１の連結部１５には、一端部に螺子部１５１が形成され、他端部に係合突部１５２が設けられる（図４（ａ）（ｂ）（ｃ）参照）。
【００１６】
この第１の連結部１５は、その螺子部１５１がアンテナ反射鏡１０の取付け孔１０２に挿入されて、ナット部材１８が螺着されることで、該アンテナ反射鏡１０に取付けられる。そして、上記第１の連結部１５の係合突部１５２には、その中間部に取付け挿通孔１５３が軸方向に直交して形成される。
【００１７】
また、第２の連結部１６には、一端部に係合凹部１６１が上記第１の連結部１５の係合突部１５２に対応して形成され、その他端部に螺子孔１６２が同軸的に形成される。この第２の連結部１６の係合凹部１６１には、軸方向に直交した取付け挿通孔１６３が上記第１の連結部１５の取付け挿通孔１５３に対応して設けられ、この取付け挿通孔１６３と上記第１の連結部１５の取付け挿通孔１５３とを対向させた状態で、該第１の連結部１５の係合突部１５２が挿入される。
【００１８】
そして、これら第２の連結部１６の取付け挿通孔１６３及び第１の連結部１５の取付け挿通孔１５３には、軸部材１９が挿通される。この軸部材１９には、例えば基端に鍔部１９１が設けられ、その先端部に螺子部１９２が設けられる。この軸部材１９は、その先端側を第２の連結部１６の取付け挿通孔１６３、第１の連結部１５の取付け挿通孔１５３に挿通させて、その鍔部１９１を第２の連結部１６の外周壁に係合させると共に、その先端側の螺子部１９２を第２の連結部１６の取付け挿通孔１９２に形成される螺子部に螺合させる。これにより、軸部材１９は、第２の連結部１６を第１の連結部１５に対して軸Ｏ１回りに回動自在に支持する。
【００１９】
そして、第２の連結部１６の他端部には、上記第３の連結部１７が同軸的に組付けられる。この第３の連結部１７には、段状の挿通孔１７１が上記第２の連結部１６の螺子孔１６２に対向して設けられ、この挿通孔１７１には、図３に示すように軸部材２０が挿入される。
【００２０】
この軸部材２０には、螺子部２０１が設けられ、螺子部２０１の基端部には、鍔部２０２が挿通孔１７１の径大側に対応して設けられる。これにより、軸部材２０は、その鍔部２０２を第３の連結部１７の挿通孔１７１の径大側端部に係合させた状態で、螺子部２０１が第２の連結部１６の螺子孔１６２に螺合されて第３の連結部１７を、第２の連結部１６に対して軸Ｏ２回りに回動自在に連結する。
【００２１】
また、第３の連結部１７には、挿通孔１７１の径大側に対して略直交して挿通される取付け挿通孔１７２（図４（ａ）参照）が設けられる。この取付け挿通孔１７２は、上記支持部材１３の他端部に設けられる一対の取付け孔１３２が挟装され、この挟装状態で、螺子部材２１及びナット部材２２を用いて螺着されて第３の連結部１７が支持部材１７に取付けられる。
【００２２】
上記構成において、給電装置１２は、給電装置支持具１１の載置部１１２におけるアンテナ反射鏡１０の焦点位置に合致する位置に設置する。この状態で、支持部材１３とアンテナ反射鏡１０とは、連結機構１４を用いて２軸回り軸Ｏ１，軸Ｏ２回りに回動自在に連結される。
【００２３】
即ち、連結機構１４は、上述したように第１乃至第３の連結部１５，１６，１７が軸部材１９，２０を用いて軸Ｏ１，軸Ｏ２回りに回動自在に連結されて、その第１の連結部１５の螺子部１５１がアンテナ反射鏡１０の取付け孔１０２に挿入される。そして、この螺子部１５１の突出部位には、ナット部材１８が螺着されて、第１の連結部１５がアンテナ反射鏡１０に取付けられる。
【００２４】
また、第３の連結部１７には、その取付け挿通孔１７２を支持部材１３の取付け孔１３２で挟装するように組み合わされて、この取付け孔１３２及び取付け挿通孔１７２に対して螺子部材２１を挿通させ、この螺子部材２１の突出部位にナット部材２２を螺合することで、支持部材１３が取付けられる。
【００２５】
そして、焦点位置の調整を行う場合には、給電装置支持具１１の長孔１１３に螺着される螺子部材１３１を緩めて給電装置支持具１１と支持部材１３との間の位置調整を行って給電装置１２を、焦点位置を調整して、その調整位置で螺子部材１３１を締付けて位置決めする。この際、連結機構１４は、支持部材１３の移動位置に応じて選択的に第１及び第２の連結部１５，１６が軸部材１９を中心として軸Ｏ１回りに回動され、第２及び第３の連結部１６，１７が軸部材２０を中心として軸Ｏ２回りに回動され、給電装置１２の焦点位置の調整を許容する。
【００２６】
ここで、連結機構１４は、上述したように焦点位置の調整が完了されて、上記螺子部材１３１が締付けられて上記支持部材１３と給電装置支持具１１とが位置決めされると、その調整位置において位置決めされ、ここに、給電装置１２が焦点位置に位置決めされて調整が完了される。
【００２７】
このように、上記アンテナ支持構造は、給電装置１２をアンテナ反射鏡１０の焦点位置に配する給電装置支持具１１を、アンテナ反射鏡１０に取付け配置して、この給電装置支持具１１とアンテナ反射鏡１０との間に支持部材１３を架設し、この支持部材１３の一端部をアンテナ反射鏡１０に対して第１乃至第３の連結部１５，１６，１７を組み合わせ配置した連結機構１４を介して略直交する軸Ｏ１，軸Ｏ２回りに回動自在に連結するように構成した。
【００２８】
これによれば、支持部材１３は、給電装置支持具１１がアンテナ反射鏡１０に対して回動されて給電装置１２の焦点位置が調整されると、その移動量に応じて連結機構１４が、その軸Ｏ１，軸Ｏ２の２軸回りに選択的に回動されて、アンテナ反射鏡１０に対する位置調整が行われ、給電装置１２の位置調整を可能とする。
【００２９】
この結果、連結機構１４の構成の簡略化が図れて、その組付け作業を含む取扱い性の簡便化が図れると共に、その連結部位における軸径の太径化の促進が図れて堅牢化の促進を図ることができる。
【００３０】
なお、上記実施の形態では、連結機構１４として、直交する２軸の軸Ｏ１，軸Ｏ２のうち軸Ｏ１をアンテナ反射鏡側に配置するように構成した場合で説明したが、これに限ることなく、その他、アンテナ反射鏡側から軸Ｏ２、Ｏ１の順に配置するように構成することも可能である。
【００３１】
また、上記連結機構１４を、第１乃至第３の連結部１５，１６，１７を連結して直交する２軸回りに回動可能に構成した場合で説明したが、この構成に限ることなく、その他、各種の連結構造を構成することが可能である。
【００３２】
よって、この発明は、上記実施の形態に限ることなく、その他、実施段階ではその要旨を逸脱しない範囲で種々の変形を実施し得ることが可能である。さらに、上記実施の形態には、種々の段階の発明が含まれており、開示される複数の構成要件における適宜な組合せにより種々の発明が抽出され得る。
【００３３】
例えば実施の形態に示される全構成要件から幾つかの構成要件が削除されても、発明が解決しようとする課題の欄で述べた課題が解決でき、発明の効果で述べられている効果が得られる場合には、この構成要件が削除された構成が発明として抽出され得る。
【図面の簡単な説明】
【００３４】
【図１】この発明の一実施の形態に係るアンテナ支持構造を説明するために示した平面図である
【図２】図１を側面から見た状態を示した平面図である。
【図３】図１の連結機構を拡大して示した断面図である。
【図４】図３の第１乃至第３の連結部の連結状態を示す平面図で、同図（ａ）は、上面から見た状態を示し、同図（ｂ）は、第３の連結部側から見た状態を示し、同図（ｃ）は、側面から見た状態を示す。
【符号の説明】
【００３５】
１０…アンテナ反射鏡、１０１…支持部、１０２…取付け孔、１１…給電装置支持具、１１１…回動軸、１１２…載置部、１１３…長孔、１２…給電装置、１３…支持部材、１３１…螺子部材、１３２…取付け孔、１４…連結機構、１５…第１の連結部、１５１…螺子部、１５２…係合突部、１５３…取付け挿通孔、１６…第２の連結部、１６１…係合凹部、１６２…螺子孔、１６３…取付け挿通孔、１７…第３の連結部、１７１…挿通孔、１７２…取付け挿通孔、１８…ナット部材、１９…軸部材、１９１…鍔部、１９２…螺子部、２０…軸部材、２０１…螺子部、２０２…鍔部。
【図１】
2007243710.tif 000003
【図２】
2007243710.tif 000004
【図３】
2007243710.tif 000005
【図４】
2007243710.tif 000006